(57)【要約】【課題】便器本体の形状に拘わらず、左右方向の位置ズレやがたつきがなく、既設の洋風便器に安定した状態で確実に取り付けることができる便器用手摺を提供する。【解決手段】便所の床に固定設置された便器Ｂの床固定部ｆの両側部に沿うように配設される、左右一対のベース部材１０、各ベース部材１０にそれぞれ立設された、左右一対の起立部材２０、左右一対の起立部材２０を相互に連結する連結部材３０及び連結部材３０に取り付けられた左右一対の固定部材４０を有する本体部と、先端部を後方側に跳ね上げ可能に、各起立部材２０の上端部にそれぞれ支持された左右一対の手摺部材５０とを備えており、固定部材４０は、本体部の左右両側から便器Ａの幅方向の中央部に向かって斜め上方に立ち上がる一対のアーム（固定アーム４３、可動アーム４４）と、アームの先端に取り付けられた押圧部４５とを有し、アームは高さ位置を変更可能に本体部に取り付けられている。【選択図】        図２
2016146991.tif 000002
【特許請求の範囲】
【請求項１】
洋風便器の左右両側に起立する一対の起立部材を有する本体部と、
前記起立部材の上端部に取り付けられた手摺部材と、
前記本体部に取り付けられ、前記洋風便器の左右両側の湾曲した上部外表面を斜め下方から押圧することによって、前記本体部を前記洋風便器に固定する固定部材と
を備え、
前記固定部材は、前記本体部の左右両側から便器の幅方向の中央部に向かって斜め上方に立ち上がる一対のアームと、前記アームの先端に取り付けられた押圧部とを有し、
前記アームは高さ位置を変更可能に前記本体部に取り付けられていることを特徴とする便器用手摺。
【請求項２】
前記押圧部は、前記洋風便器の左右両側の湾曲した上部外表面に当接する当接体を備えており、
前記当接体は、その当接面が突出した湾曲面となっている請求項１に記載の便器用手摺。
【請求項３】
前記押圧部は、前記洋風便器の左右両側の湾曲した上部外表面に当接する当接体を備えており、
前記当接体は、予め固定設置されているベース部品と、必要に応じて前記ベース部品に装着可能な付属部品とを有し、
前記ベース部品に前記付属部品を装着しない状態の前記当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、
前記ベース部品に前記付属部品を装着した状態の前記当接体は、その当接面が突出した湾曲面となっている請求項１に記載の便器用手摺。
【請求項４】
前記押圧部は、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有する当接体を備えている請求項１に記載の便器用手摺。
【請求項５】
前記押圧部は、前記洋風便器の左右両側の湾曲した上部外表面に当接する当接体を備えており、
前記当接体は、予め固定設置されているベース部品と、必要に応じて前記ベース部品に装着可能な付属部品とを有し、
前記ベース部品に前記付属部品を装着しない状態の前記当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、
前記ベース部品に前記付属部品を装着した状態の前記当接体は、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有している請求項１に記載の便器用手摺。
【発明の詳細な説明】
【技術分野】
【０００１】
この発明は、既設の洋風便器（以下、便器という。）に取り付けることで、足腰の弱い高齢者の用便動作を助けることのできる便器用手摺に関する。
【背景技術】
【０００２】
既設の便器に取り付ける便器用手摺としては、例えば、図１４に示すようなものがある。この便器用手摺７０は、同図に示すように、便所の床に固定設置された便器Ａの床固定部ｆの両側部に沿うように配設される左右一対のベース部材７１と、各ベース部材７１にそれぞれ立設された左右一対の起立部材７２と、左右一対の起立部材７２を相互に連結する連結部材７３と、連結部材７３に取り付けられた左右一対の固定部材７４と、先端部を後方側に跳ね上げ可能に、各起立部材７２の上端部にそれぞれ支持された左右一対の手摺部材７５とを備えており、左右一対の手摺部材７５は、金属製のフレームに樹脂製のカバーを被せた肘掛け７５ａと、この肘掛け７５ａの下面から下方側に突出するように、フレームの長手方向の略中央部に連設されたグリップ７５ｂとを有している。
【０００３】
前記連結部材７３の各直線部７３ａには、それぞれの外端側から、各直線部７３ａ内を左右にスライドする可動アーム７３ｂが差し込まれており、各可動アーム７３ｂ、７３ｂの先端部に、便所の壁面に当接して押圧する押圧部材７３ｃが進退可能にねじ込まれている。
【０００４】
また、各直線部７３ａの後面には、左右方向に延びる長孔（図示せず）が形成されており、この長孔に通したノブボルト７３ｄを、可動アーム７３ｂの内端後面に形成されたねじ孔（図示せず）にねじ込んで締め付けることにより、長孔の長さの範囲内で各可動アーム７３ｂを任意の位置に固定することができるようになっている。
【０００５】
前記固定部材７４は、同図に示すように、連結部材７３の直線部７３ａ、７３ａの外端部に立設された支持脚７４ａ、７４ａと、この支持脚７４ａ、７４ａの上端部にそれぞれ固着され、内側に向かって斜め上方に立ち上がる一対の固定アーム７４ｂ、７４ｂと、それぞれの固定アーム７４ｂにその上端から差し込まれて、上下方向にスライドする可動アーム７４ｃ、７４ｃと、各可動アーム７４ｃ、７４ｃの先端に取り付けられ、便器Ａの湾曲した上部外表面に当接して押圧する押圧部７４ｅとから構成されており、固定アーム７４ｂの上面に形成された上下方向に延びる長孔（図示せず）に通したノブボルト７４ｄを、可動アーム７４ｃの下端部に形成されたねじ孔（図示せず）にねじ込んで締め付けることにより、長孔の長さの範囲内で可動アーム７４ｃを任意の位置に固定することができるようになっている。
【０００６】
前記押圧部７４ｅは、同図に示すように、可動アーム７４ｃの上端に取り付けられたアジャスタ７４ｆと、このアジャスタ７４ｆに取り付けられた、便器Ａの上部外表面の湾曲状態に応じて、ある程度の自由度を持ってその接触角度を調整できる自在アタッチメント７４ｇとから構成されており、アジャスタ７４ｆを回転させることで、自在アタッチメント７４ｇが、固定アーム７４ｂの延びだし方向に進退するようになっている。
【０００７】
この便器用手摺７０を便所に設置するには、自在アタッチメント７４ｇを便器Ａの湾曲した上部外表面に当接させた状態で可動アーム７４ｃを固定アーム７４ｂに固定し、アジャスタ７４ｆによって、自在アタッチメント７４ｇをさらに突出させることで、固定部材７４の押圧部７４ｅが便器Ａの湾曲した上部外表面を押圧するように、便器Ａに取り付けた後、押圧部材７３ｃが便所の側壁面に当接して押圧するように、可動アーム７３ｂを連結部材７３の直線部７３ａに固定することになる。
【０００８】
以上のように、可動アーム７４ｃによって、便器Ａの左右両側の湾曲した上部外表面をそれぞれ斜め下方から押圧するようにしているので、左右方向の位置ズレやがたつきが阻止されるだけでなく、その反力によって、便器用手摺１自体が便所の床面に押しつけられるので、前側に位置している手摺部材７５に力がかかった場合でも、便器用手摺７０の後端部が持ち上がったりすることがなく、安定した設置状態が確保される。
【先行技術文献】
【特許文献】
【０００９】
【特許文献１】特開２０１２−２１７７１８号公報
【発明の概要】
【発明が解決しようとする課題】
【００１０】
ところで、一般的な便器Ａは、図１５（ａ）に示すように、便器本体Ａｂの側面が、その上部から高さ方向の中央に向かって緩やかに窪み、その窪み部ｈａから下方に向かって緩やかに拡がった形状を有しているが、近年は、同図（ｂ）に示すように、便器本体Ｂｂの側面上部が内側に大きく窪み、その窪み部ｈｂから下方に向かって外側に緩やかに拡がった節水型の便器Ｂが使用されるようになってきている。
【００１１】
従って、例えば、こういった節水型の便器Ｂに上述したような便器用手摺７０を取り付けようとすると、図１６に示すように、固定部材７４の押圧部７４ｅが当接する便器本体の上部外表面が、その上部から高さ方向の中央に向かって緩やかに窪んでいる一般的な便器Ａとは逆に、下方に向かって緩やかに拡がるように湾曲しているため、固定部材７４の押圧部７４ｅが便器Ｂの湾曲した上部外表面を斜め下方から押圧することができず、安定した状態で設置することができないといった問題がある。
【００１２】
そこで、この発明の課題は、便器本体の形状に拘わらず、左右方向の位置ズレやがたつきがなく、既設の洋風便器に安定した状態で確実に取り付けることができる便器用手摺を提供することにある。
【課題を解決するための手段】
【００１３】
上記の課題を解決するため、請求項１に係る発明は、洋風便器の左右両側に起立する一対の起立部材を有する本体部と、前記起立部材の上端部に取り付けられた手摺部材と、前記本体部に取り付けられ、前記洋風便器の左右両側の湾曲した上部外表面を斜め下方から押圧することによって、前記本体部を前記洋風便器に固定する固定部材とを備え、前記固定部材は、前記本体部の左右両側から便器の幅方向の中央部に向かって斜め上方に立ち上がる一対のアームと、前記アームの先端に取り付けられた押圧部とを有し、前記アームは高さ位置を変更可能に前記本体部に取り付けられていることを特徴とする便器用手摺を提供するものである。
【００１４】
また、請求項２に係る発明は、請求項１に係る発明の便器用手摺において、前記押圧部は、前記洋風便器の左右両側の湾曲した上部外表面に当接する当接体を備えており、前記当接体は、その当接面が突出した湾曲面となっていることを特徴としている。
【００１５】
また、請求項３に係る発明は、請求項１に係る発明の便器用手摺において、前記押圧部は、前記洋風便器の左右両側の湾曲した上部外表面に当接する当接体を備えており、前記当接体は、予め固定設置されているベース部品と、必要に応じて前記ベース部品に装着可能な付属部品とを有し、前記ベース部品に前記付属部品を装着しない状態の前記当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、前記ベース部品に前記付属部品を装着した状態の前記当接体は、その当接面が突出した湾曲面となっていることを特徴としている。
【００１６】
また、請求項４に係る発明は、請求項１に係る発明の便器用手摺において、前記押圧部は、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有する当接体を備えていることを特徴としている。
【００１７】
また、請求項５に係る発明は、請求項１に係る発明の便器用手摺において、前記押圧部は、前記洋風便器の左右両側の湾曲した上部外表面に当接する当接体を備えており、前記当接体は、予め固定設置されているベース部品と、必要に応じて前記ベース部品に装着可能な付属部品とを有し、前記ベース部品に前記付属部品を装着しない状態の前記当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、前記ベース部品に前記付属部品を装着した状態の前記当接体は、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有していることを特徴としている。
【発明の効果】
【００１８】
以上のように、請求項１に係る発明の便器用手摺は、本体部の左右両側から便器の幅方向の中央部に向かって斜め上方に立ち上がる一対のアームが高さ位置を変更可能に本体部に取り付けられているので、便所に設置された洋風便器の形状に応じて、アームの高さ位置を調整することで、押圧部が洋風便器の左右両側の湾曲した上部外表面の適切な位置を斜め下方から押圧することができ、便器用手摺を安定した状態で設置することができる。
【００１９】
請求項２に係る発明の便器用手摺は、洋風便器の左右両側の湾曲した上部外表面に当接する当接体の当接面が突出した湾曲面となっているので、例えば、便器本体の側面上部が内側に大きく窪み、その窪み部から下方に向かって外側に緩やかに拡がった節水型の洋風便器が便所に設置されている場合は、突出している湾曲面からなる当接面を、便器本体の窪み部に押し当てることで、節水型の洋風便器に安定した状態で設置することができる。
【００２０】
特に、請求項３に係る発明の便器用手摺は、当接体が、予め固定設置されているベース部品と、必要に応じて前記ベース部品に装着可能な付属部品とを有し、ベース部品に付属部品を装着しない状態の当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、ベース部品に付属部品を装着した状態の当接体は、その当接面が突出した湾曲面となっているので、例えば、便器本体の左右両側面の上部から高さ方向の中央に向かって緩やかに窪み、その窪み部から下方に向かって緩やかに拡がった形状を有する一般的な洋風便器が便所に設置されている場合は、付属部品を装着することなく、ベース部品を便器本体の左右両側の湾曲した上部外表面に当接させることで、また、便器本体の側面上部が内側に大きく窪み、その窪み部から下方に向かって外側に緩やかに拡がった節水型の洋風便器が便所に設置されている場合は、ベース部品に付属部品を装着することによって突出させた当接面を、便器本体の窪み部に当接させることで、形状の異なる複数種類の洋風便器に安定した状態で設置することができる。
【００２１】
また、請求項４に係る発明の便器用手摺は、押圧部が、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有する当接体を備えているので、便器本体の側面上部が内側に大きく窪み、その窪み部から下方に向かって外側に緩やかに拡がった節水型の洋風便器が便所に設置されている場合は、その便器本体の窪み部から拡大部に至る上部外表面に当接体を押し当てることで、節水型の洋風便器に安定した状態で設置することができる。
【００２２】
特に、請求項５に係る発明の便器用手摺は、当接体が、予め固定設置されているベース部品と、必要に応じてベース部品に装着可能な付属部品とを有し、ベース部品に付属部品を装着しない状態の当接体は、便器本体の左右両側面の上部から高さ方向の中央に向かって緩やかに窪み、その窪み部から下方に向かって緩やかに拡がった形状を有する洋風便器における窪み部の上側の上部外表面に沿う当接面を有し、ベース部品に付属部品を装着した状態の当接体は、便器本体の左右両側面の上部が内側に大きく窪んだ窪み部及びその窪み部から下方に向かって外側に緩やかに拡がった拡大部を有する洋風便器における窪み部から拡大部に至る上部外表面に沿う当接面を有しているので、例えば、便器本体の左右両側面の上部から高さ方向の中央に向かって緩やかに窪み、その窪み部から下方に向かって緩やかに拡がった形状を有する一般的な洋風便器が便所に設置されている場合は、ベース部品に付属部品を装着していない当接体を便器本体の左右両側の湾曲した上部外表面に当接させることで、また、便器本体の側面上部が内側に大きく窪み、その窪み部から下方に向かって外側に緩やかに拡がった節水型の洋風便器が便所に設置されている場合は、ベース部品に付属部品を装着した当接体を便器本体の窪み部から拡大部に至る上部外表面に当接させることで、形状の異なる複数種類の洋風便器に安定した状態で設置することができる。
【図面の簡単な説明】
【００２３】
【図１】この発明に係る便器用手摺を示す斜視図である。
【図２】同上の便器用手摺を示す正面図である。
【図３】同上の便器用手摺を示す平面図である。
【図４】同上の便器用手摺を示す側面図である。
【図５】同上の便器用手摺の固定部材を示す斜視図である。
【図６】同上の固定部材を示す詳細図である。
【図７】同上の便器用手摺の肘掛けを跳ね上げた状態を示す部分拡大側面図である。
【図８】図７のＸ−Ｘ線に沿った断面図である。
【図９】（ａ）は同上の便器用手摺における被支持部材を示す側面図、（ｂ）は同上の便器用手摺における支持部材を示す側面図である。
【図１０】（ａ）は同上の便器用手摺における肘掛けを肘掛け位置に降ろしたときの案内孔及び長孔と係止軸との関係を説明するための説明図、（ｂ）は同上の便器用手摺における肘掛けを所定の跳ね上げ位置まで跳ね上げたときの案内孔及び長孔と係止軸との関係を説明するための説明図である。
【図１１】他の実施形態である便器用手摺を示す正面図である。
【図１２】同上の便器用手摺に使用されている付属部品を示す斜視図である。
【図１３】同上の便器用手摺における当接体と便器本体との関係を示す斜視図である。
【図１４】従来の便器用手摺を一般的な便器に取り付けた状態を示す正面図である。
【図１５】（ａ）は一般的な洋風便器の一例を示す正面図、（ｂ）は節水型の洋風便器の一例を示す正面図である。
【図１６】従来の便器用手摺を節水型の洋風便器に取り付けたときの問題点を説明するための説明図である。
【発明を実施するための形態】
【００２４】
以下、実施の形態について図面を参照して説明する。図１〜図４に示すように、この便器用手摺１は、便所の床に固定設置された節水型の便器Ｂの床固定部ｆの両側部に沿うように配設される、左右一対のベース部材１０、各ベース部材１０にそれぞれ立設された、左右一対の起立部材２０、左右一対の起立部材２０を相互に連結する連結部材３０及び連結部材３０に取り付けられた左右一対の固定部材４０を有する本体部と、先端部を後方側に跳ね上げ可能に、各起立部材２０の上端部にそれぞれ支持された左右一対の手摺部材５０とを備えており、左右一対の手摺部材５０は、ロック手段によって、略垂直に立ち上がった所定の跳ね上げ位置でロックされるようになっている。
【００２５】
前記ベース部材１０は、前端部に起立部材２０が立設された、金属製の角パイプからなる後側ベース部材１１と、後側ベース部材１１の外側で起立部材２０の立設位置から前方側に張り出す、金属製の角パイプからなる前側ベース部材１２とに分割されており、前側ベース部材１２は、左右方向の外側に移動可能に後側ベース部材１１に着脱自在に連結されている。
【００２６】
後側ベース部材１１及び起立部材２０には、起立部材２０の後面に隣接するように、左右方向に延びる金属製の角パイプからなるスライドベース部１３の外端が固着されていると共に、前側ベース部材１２には、左右方向に延びる金属製の角パイプからなるスライド部１４の外端が固着されており、スライド部１４が、スライドベース部１３に移動可能かつ引抜可能に差し込まれている。なお、後側ベース部材１１の前後端、前側ベース部材１２の前後端及びスライドベース部１３の内端には、合成樹脂製のキャップがそれぞれ装着されている。
【００２７】
前記スライドベース部１３には、その上面に長孔１３ａが形成されており、この長孔１３ａにワッシャを介して通した、頭部に六角穴を有するねじ１５を、スライド部１４の上面に形成されたねじ孔（図示せず）にねじ込んで締め付けることにより、長孔１３ａの長さの範囲内でスライド部１４を任意の位置に固定することができるようになっている。これにより、スライド部１４が連結された前側ベース部材１２を所定範囲内で左右方向に位置決めすることができる。
【００２８】
また、後側ベース部材１１の前後端及び前側ベース部材１２の前後端には、それぞれの下面側に、高さ調整を行うためのアジャスタ１１ａ、１２ａがそれぞれ取り付けられており、それぞれのアジャスタ１１ａ、１２ａによって部分的に高さ調整を行うことで、設置される便器用手摺１のがたつきをなくすことができる。
【００２９】
前記起立部材２０は、上端側が僅かに内側（便器Ｂ側）に傾斜した状態でベース部材１０の後部側に固着された金属製の角パイプからなる下部支柱２１と、この下部支柱２１にその上端側から差し込まれて、下部支柱２１内を上下にスライドする金属製の角パイプからなる上部支柱２２とから構成されており、この上部支柱２２の上端部に手摺部材５０を回動可能に支持するための支持部材２３が固定されている。
【００３０】
また、下部支柱２１の前面には複数のボルト挿通孔２１ａが上下に形成されており、いずれかのボルト挿通孔２１ａに通したノブボルト２０Ａを、上部支柱２２の下部前面に形成されたねじ孔（図示せず）にねじ込んで締め付けることにより、上部支柱２２を所定の高さに段階的に固定することができるようになっている。
【００３１】
前記連結部材３０は、左右一対の起立部材２０、２０を構成している下部支柱２１、２１から内側に張り出すように、下部支柱２１、２１の後面における中間高さ位置にそれぞれ固着された、便器Ｂの幅方向に延びる左右一対の直線部３１、３１と、両端部が左右一対の直線部３１、３１における内端側の前面にそれぞれ連設された、便器Ｂにおける床固定部ｆの前端上部を取り囲むように、中央部を略Ｕ字状に屈曲させた屈曲部３２とから構成されており、直線部３１及び屈曲部３２は金属製の角パイプによって形成されている。
【００３２】
前記連結部材３０の各直線部３１には、それぞれの外端側から、各直線部３１内を左右にスライドする金属製の角パイプからなる可動アーム３３が差し込まれており、各直線部３１の内端には、合成樹脂製のキャップがそれぞれ装着されている。
【００３３】
各可動アーム３３、３３は、その先端部が閉塞されており、閉塞された先端部にねじ孔が形成されていると共に、そのねじ孔に、便所の壁面に当接して押圧する押圧部材３５が進退可能にねじ込まれている。
【００３４】
各直線部３１の後面には、左右方向に延びる長孔（図示せず）が形成されており、この長孔に通したノブボルト３４を、可動アーム３３の内端後面に形成されたねじ孔（図示せず）にねじ込んで締め付けることにより、長孔の長さの範囲内で各可動アーム３３を任意の位置に固定することができるようになっている。
【００３５】
前記固定部材４０は、図１〜図６に示すように、連結部材３０の直線部３１、３１に外側に傾斜した状態で立設された固定支持脚４１、４１と、この固定支持脚４１、４１の上端から差し込まれて、上下方向にスライドする可動支持脚４２、４２と、可動支持脚４２、４２の上端部にそれぞれ固着され、内側に向かって斜め上方に立ち上がる一対の固定アーム４３、４３と、それぞれの固定アーム４３にその上端から差し込まれて、上下方向にスライドする可動アーム４４、４４と、各可動アーム４４、４４の先端に取り付けられ、便器Ｂの湾曲した上部外表面に当接して押圧する押圧部４５とから構成されており、前記固定支持脚４１、可動支持脚４２、固定アーム４３及び可動アーム４４は、金属製の角パイプによって形成されている。
【００３６】
また、固定支持脚４１には、便器Ｂの幅方向の内側面に上下方向に延びる長孔４１ａが形成されており、この長孔４１ａにワッシャを介して通したねじ４２ａを、可動支持脚４２の下端部に形成されたねじ孔（図示せず）にねじ込んで締め付けることにより、長孔４１ａの長さの範囲内で可動支持脚４２を任意の位置に固定することができるようになっている。
【００３７】
また、固定アーム４３の上面には上下方向に延びる長孔４３ａが形成されており、この長孔４３ａに通したノブボルト４４ａを、可動アーム４４の下端部に形成されたねじ孔（図示せず）にねじ込んで締め付けることにより、長孔４３ａの長さの範囲内で可動アーム４４を任意の位置に固定することができるようになっている。
【００３８】
前記押圧部４５は、同図に示すように、可動アーム４４の上端に取り付けられたアジャスタ４６と、このアジャスタ４６に自在継手４７を介して取り付けられた、ゴム等の弾性体からなる当接体４８とから構成されており、図６に二点鎖線で示すように、便器Ｂの上部外表面の湾曲状態に応じて、ある程度の自由度を持ってその接触角度を調整できるようになっている。
【００３９】
前記アジャスタ４６は、可動アーム４４の上端に形成されたねじ孔（図示せず）にねじ込まれる全ネジボルト４６ａと、この全ネジボルト４６ａに固定された、全ネジボルト４６ａを回転させるための回転操作部４６ｂとから構成されており、回転操作部４６ｂを回転させることで、全ネジボルト４６ａが回転しながら進退し、当接体４８が、固定アーム４３の延びだし方向に進退するようになっている。
【００４０】
前記当接体４８は、予め自在継手４７に嵌着された、フラットな当接面に円形凹部ＣＣが形成された円形状のベース部品４８ａと、便器形状に応じて、ベース部品４８ａの円形凹部ＣＣに装着可能な半球状の付属部品４８ｂとを備えており、ベース部品４８ａに付属部品４８ｂを装着した状態では、付属部品４８ｂの突出した湾曲面によって当接面が形成されるようになっている。
【００４１】
前記手摺部材５０は、図１〜図４及び図７、図８に示すように、金属製のフレームに樹脂製のカバーを被せた肘掛け５１と、この肘掛け５１の下面から下方側に突出するように、フレームの長手方向の略中央部に連設されたグリップ５２とを備えており、肘掛け５１は、起立部材２０の支持部材２３を挟み込むように、フレームの後端部に連設された一対の被支持部材５３を介して、支持部材２３に回動可能に支持されている。
【００４２】
前記ロック手段は、図８及び図９（ａ）、（ｂ）に示すように、一対の被支持部材５３に形成された長孔５４と、この長孔５４内を移動可能に長孔５４に挿入される係止軸６１と、支持部材２３に形成された、係止軸６１が移動可能に挿入される案内孔２４と、それぞれの被支持部材５３を挟み込むような状態で係止軸６１の両端部に回動可能に連結された、先端がＶ字状に形成された操作部材６２とから構成されている。
【００４３】
前記支持部材２３に形成された案内孔２４は、手摺部材５０の回動に伴って係止軸６１が移動する円弧状の回動用孔部２４ａと、この回動用孔部２４ａの後端部から下方側に延びる直線状の係止用孔部２４ｂとから構成されており、図１０（ａ）、（ｂ）に示すように、一対の被支持部材５３に形成された長孔５４に挿通されている係止軸６１が、案内孔２４における円弧状の回動用孔部２４ａの前端部と後端部との間を移動することで、手摺部材５０が所定の肘掛け位置と跳ね上げ位置との間で回動するようになっている。
【００４４】
前記被支持部材５３に形成された長孔５４は、手摺部材５０が所定の跳ね上げ位置まで回動したときに、同図（ｂ）に示すように、その長手方向が上下方向を向いて、支持部材２３に形成された案内孔２４の係止用孔部２４ｂに一致するようになっており、回動用孔部２４ａの後端部まで移動した係止軸６１が、長孔５４内を落下して案内孔２４の係止用孔部２４ｂに入り込むことで、支持部材２３に対して被支持部材５３が回転不能となり、これによって、手摺部材５０がロックされるようになっている。
【００４５】
前記操作部材６２は、図４に示すように、手摺部材５０の肘掛け５１が略水平の肘掛け位置において、Ｖ字状の先端部が下方側を向くような状態で垂下しているが、手摺部材５０の肘掛け５１を跳ね上げるに従って、被支持部材５３の外縁に沿って持ち上がり、手摺部材５０が所定の跳ね上げ位置でロックされたときは、図７に示すように、被支持部材５３によって略水平状態に支持されるようになっており、その状態では、Ｖ字状の先端部に指をかけることができるようになっている。
【００４６】
従って、手摺部材５０が所定の跳ね上げ位置でロックされた状態で、Ｖ字状の先端部に指をかけて操作部材６２を引き上げると、操作部材６２が連結されている係止軸６１が持ち上がり、案内孔２４の係止用孔部２４ｂから回動用孔部２４ａ側に移動するので、手摺部材５０のロックが解除され、手摺部材５０を初期の肘掛け位置まで回動することができる状態となる。
【００４７】
以上のように構成された便器用手摺１を便所に設置された節水型の便器Ｂに取り付けるには、まず、押圧部４５を構成している当接体４８のベース部材４８ａに半球状の付属部品４８ｂを取り付け、付属部品４８ｂが便器Ｂの窪み部ｈｂに当接するように、可動支持脚４２の高さ位置及び可動アーム４４の突出量を調整した状態で、可動支持脚４２を固定支持脚４１に、可動アーム４４を固定アーム４３にそれぞれ固定した後、アジャスタ４６によって、当接体４８をさらに突出させると、当接体４８の半球状の付属部品４８ｂが、便器Ｂの窪み部ｈｂに斜め下方から押し付けられ、便器用手摺１が確実に便器Ｂに固定される。
【００４８】
続いて、押圧部材３５が便所の側壁面ＳＷに当接して押圧するように、可動アーム３３を連結部材３０の直線部３１に固定した後、左右の前側ベース部材１２をそれぞれ便所の側壁面ＳＷまでスライドさせた状態で、スライド部１４をスライドベース部１３に固定することで、前側ベース部材１２を位置決めすると、便器用手摺１の設置が完了する。
【００４９】
以上のように、この便器用手摺１は、固定アーム４３及び可動アーム４４からなる先端に押圧部４５が取り付けられたアームが、固定支持脚４１及び可動支持脚４２からなる支持脚によって、その高さ位置を変更可能に支持されているので、便所に設置された便器形状に応じて、固定支持脚４１に対する可動支持脚４２の固定位置を変更することによって、アーム（固定アーム４３）の高さ位置を調整することで、押圧部４５が便器の左右両側の湾曲した上部外表面の適切な位置（例えば、便器本体Ｂｂの側面上部が内側に大きく窪み、その窪み部ｈｂから下方に向かって外側に緩やかに拡がった節水型の便器Ｂの場合は、窪み部ｈｂ）を斜め下方から押圧することができ、形状の異なる種々の便器に対して便器用手摺１を安定した状態で設置することができる。
【００５０】
また、この便器用手摺１は、可動アーム４４の上端に取り付けられた押圧部４５を構成している当接体４８が、予め自在継手４７に嵌着されたベース部品４８ａと、必要に応じて、ベース部品４８ａに装着可能な半球状の付属部品４８ｂとを備えているので、上述したように、便器本体Ｂｂの側面上部が内側に大きく窪み、その窪み部ｈｂから下方に向かって外側に緩やかに拡がった節水型の便器Ｂが便所に設置されている場合は、ベース部品４８ａに装着した付属部品４８ｂの突出した当接面を便器Ｂの窪み部ｈｂに押し当てることによって、また、一般的な便器Ａが便所に設置されている場合は、ベース部品４８ａに付属部品４８ｂを装着することなく、ベース部品４８ａを便器の左右両側の湾曲した上部外表面に直接押し当てることによって、形状の異なる節水型の便器Ｂ及び一般的な便器Ａの双方に確実に取り付けることができる。
【００５１】
また、この便器用手摺１は、ベース部材１０を、起立部材２０が立設された後側ベース部材１１と、起立部材２０の立設位置から前方側に張り出す前側ベース部材１２とに分割し、前側ベース部材１２を、左右方向の外側に移動自在に後側ベース部材１１及び起立部材２０に連結したので、前方側に張り出している前側ベース部材１２を便所の両側壁面ＳＷに沿わせた状態で近接設置することができる。従って、便器の前方側に入口が設置された便所の場合、便器の両側部で一対のフレームが便器の前方側に張り出している従来の便器用手摺とは異なり、便所の入口から便器に向かって便所の床面が大きく開放されるので、足腰の弱い高齢者が便器に着座する際、ベース部材１０につまずいて転倒するおそれがなく、便器への着座動作を円滑に行うことができると共に、車椅子を利用している高齢者等の場合も、介助者が高齢者等を車椅子から抱え上げて便器まで移動させて便器に着座させる際に車椅子の車輪がベース部材１０に接触したり、介助者がベース部材１０に躓いたりするおそれもない。
【００５２】
また、前側ベース部材１２は、スライドベース部１３及びスライド部１４を介して、後側ベース部材１１及び起立部材２０に着脱自在に連結されているので、便器用手摺１を便所に設置する際、前側ベース部材１２を一旦取り外した状態で便器用手摺１を便所内に収容し、便所内で前側ベース部材１２を再度取り付けることによって、狭い便所でも円滑かつ確実に設置することができる。
【００５３】
また、便所の左右の側壁面ＳＷをそれぞれ押圧する一対の押圧部材３５が本体部に取り付けられているので、押圧部材３５によって便所の左右の側壁面ＳＷをそれぞれ押圧することで、ベース部材１０を後側ベース部材１１と前側ベース部材１２とに分割することに伴う設置強度の低下を抑制することができる。
【００５４】
なお、上述した実施形態では、節水型の便器Ｂに対応するために、押圧部４５を構成している当接体４８の予め自在継手４７に嵌着されたベース部品４８ａに半球状の付属部品４８ｂを装着するようにしているが、ベース部品４８ａに装着する付属部品４８ｂの形状は、半球状に限定されるものではなく、取り付けようとする便器の形状に応じて適宜設定すればよい。また、形状の異なる便器に対応して、形状の異なる複数種類の付属部品を用意してもよい。
【００５５】
上述したように、便器本体Ｂｂの左右両側面の上部が内側に大きく窪んだ窪み部ｈｂ及びその窪み部ｈｂから下方に向かって外側に緩やかに拡がった拡大部ｅｂを有する節水型の便器Ｂが便所に設置されている場合は、例えば、図１１〜１３に示すように、上述した半球状の付属部品４８ｂに代えて、便器本体Ｂｂの窪み部ｈｂから拡大部ｅｂに至る上部外表面に沿う当接面を有する付属部品４８ｃをベース部品４８ａに装着するようにしてもよい。
【００５６】
この付属部品４８ｃは、図１２及び図１３に示すように、合成樹脂製の本体部材ＭＭと、この本体部材ＭＭに貼着されたゴム製のシート部材ＳＭとから構成されており、シート部材ＳＭの表面が当接面を形成している。
【００５７】
前記本体部材ＭＭは、便器本体Ｂｂの窪み部ｈｂに沿うように先端が湾曲した湾曲面と、この湾曲面に連続的に繋がる、便器本体Ｂｂの拡大部ｅｂの上端部に沿うように傾斜した傾斜面とを有しており、湾曲面から傾斜面に渡ってシート部材ＳＭが貼着されている。
【００５８】
従って、ベース部品４８ａに付属部品４８ｃを装着した当接体４８を便器本体Ｂｂの窪み部ｈｂから拡大部ｅｂに至る上部外表面に当接させることで、節水型の便器Ｂの湾曲した上部外表面を斜め下方から確実に押圧することができ、上述した半球状の付属部品４８ｂを使用する場合に比べて、さらに安定した状態で設置することができる。
【００５９】
また、上述した各実施形態では、ベース部品４８ａに付属部品４８ｂ、４８ｃを装着することで、形状の異なる便器に対応しているが、これに限定されるものではなく、形状の異なる便器毎に、形状が異なる当接体４８を備えた便器用手摺を用意してもよい。
【産業上の利用可能性】
【００６０】
本発明は既設の洋風便器用の手摺として利用することができる。
【符号の説明】
【００６１】
１  便器用手摺
１０  ベース部材
１１  後側ベース部材
１１ａ  アジャスタ
１２  前側ベース部材
１２ａ  アジャスタ
１３  スライドベース部
１３ａ  長孔
１４  スライド部
１５  ねじ
２０  起立部材
２０Ａ  ノブボルト
２１  下部支柱
２１ａ  ボルト挿通孔
２２  上部支柱
２３  支持部材
２４  案内孔
２４ａ  回動用孔部
２４ｂ  係止用孔部
３０  連結部材
３１  直線部
３２  屈曲部
３３  可動アーム
３４  ノブボルト
３５  押圧部材
４０  固定部材
４１  固定支持脚
４１ａ  長孔
４２  可動支持脚
４２ａ  ねじ
４３  固定アーム
４３ａ  長孔
４４  可動アーム
４４ａ  ノブボルト
４５  押圧部
４６  アジャスタ
４６ａ  全ネジボルト
４６ｂ  回転操作部
４７  自在継手
４８  当接体
４８ａ  ベース部品
４８ｂ、４８ｃ  付属部品
５０  手摺部材
５１  肘掛け
５２  グリップ
５３  被支持部材
５４  長孔
６１  係止軸
６２  操作部材
Ａ  一般の洋風便器
Ｂ  節水型の洋風便器
Ｂｂ  便器本体
ｆ  床固定部
ｅｂ  拡大部
ｈａ、ｈｂ  窪み部
ＣＣ  円形凹部
ＭＭ  本体部材
ＳＭ  シート部材
【図１】
2016146991.tif 000003
【図２】
2016146991.tif 000004
【図３】
2016146991.tif 000005
【図４】
2016146991.tif 000006
【図５】
2016146991.tif 000007
【図６】
2016146991.tif 000008
【図７】
2016146991.tif 000009
【図８】
2016146991.tif 000010
【図９】
2016146991.tif 000011
【図１０】
2016146991.tif 000012
【図１１】
2016146991.tif 000013
【図１２】
2016146991.tif 000014
【図１３】
2016146991.tif 000015
【図１４】
2016146991.tif 000016
【図１５】
2016146991.tif 000017
【図１６】
2016146991.tif 000018